(57)【要約】【課題】結露を防止するとともに風量の減少を防止することのできる空気調和機を提供する。【解決手段】吹出口５に３枚の横ルーバ１１ａ、１１ｂ、１１ｃを並設し、上方に調和空気を送出する際には中央及び下方の横ルーバ１１ｃ、１１ｂを送風経路６の中央部及び下部を流通する空気と略平行な標準位置に配置して主流をＡ１のように下方に送出する。上方の横ルーバ１１ａは、送風経路６の上部を流通する空気の空気流に対して上方へ傾斜して配置され、送風経路６の上部を通る空気が横ルーバ１１ａに導かれて送風経路６の上壁６ａに沿って送出される。上方に送出された空気はコアンダ効果によって主流（Ａ１）に吸引され、矢印Ａ４に示すように主流の方向に導かれる。【選択図】　　　図７
2004116859.tif 000002
【特許請求の範囲】
【請求項１】
吸込口から取り入れた空気を調和し、空気流通経路を流通する空気を風向変更手段によって下方或いは上方に風向を可変して吹出口から送出する空気調和機において、前記風向変更手段は前記吹出口から送出された空気の風向をコアンダ効果によって可変することを特徴とする空気調和機。
【請求項２】
前記空気流通経路が下流へ行くほど拡大して形成されるとともに、前記風向変更手段が前記吹出口の下部から送出される空気の風向をコアンダ効果によって上方に導くことを特徴とする請求項１に記載の空気調和機。
【請求項３】
前記空気流通経路が下流へ行くほど拡大して形成されるとともに、前記風向変更手段が前記吹出口の上部から送出される空気の風向をコアンダ効果によって下方に導くことを特徴とする請求項１に記載の空気調和機。
【請求項４】
前記空気流通経路の上壁が前方へ行くほど上方になるように傾斜して成ることを特徴とする請求項２または請求項３に記載の空気調和機。
【請求項５】
前記風向変更手段は、前記吹出口に取り付けられるとともに向きを可変する複数の風向板から成ることを特徴とする請求項１〜請求項４のいずれかに記載の空気調和機。
【請求項６】
前記吹出口から上方に空気を送出する際に最上の前記風向板を前記空気流通経路の上部を流通する空気に沿った標準位置に配置するとともに、前記吹出口から下方に空気を送出する際に最上の前記風向板を前記標準位置よりも下流へ行くほど前記空気流通経路の上壁に接近させたことを特徴とする請求項５に記載の空気調和機。
【請求項７】
前記吹出口から下方に空気を送出する際に最下の前記風向板を前記空気流通経路の下部を流通する空気に沿った標準位置に配置するとともに、前記吹出口から上方に空気を送出する際に最下の前記風向板を前記標準位置よりも下流へ行くほど前記空気流通経路の下壁に接近させたことを特徴とする請求項５に記載の空気調和機。
【請求項８】
前記風向板を３枚以上上下に並設し、最上または最下を除く前記風向板の向きによって空気の送出方向を制御したことを特徴とする請求項５〜請求項７のいずれかに記載の空気調和機。
【請求項９】
前記風向板を３枚にしたことを特徴とする請求項５〜請求項７のいずれかに記載の空気調和機。
【請求項１０】
イオンを発生するイオン発生装置を備えたことを特徴とする請求項１〜請求項９のいずれかに記載の空気調和機。
【発明の詳細な説明】
【０００１】
【発明の属する技術分野】
本発明は、取り込まれた空気を調和して室内に送出する空気調和機に関し、特に上方に空気を送出できる空気調和機に関する。
【０００２】
【従来の技術】
従来の空気調和機は略水平乃至下方に空気を送出するため、室内温度が設定温度付近に達した状態で送風を継続すると使用者に常に冷たい風や暖かい風が当たる。従って、使用者に不快感を与えるとともに、除湿運転時や冷房運転時では局所的に使用者の体温を低下させて健康に害を与える問題があった。
【０００３】
このため、水平乃至下方に調和空気を送出し、室内温度が設定温度付近に到達すると上方に空気を送出できる空気調和機が特願２００２−０２９８２４号等に示されている。図９は上方に空気を送出する空気調和機の室内機の一例を示す側面断面図である。
【０００４】
室内の天井Ｒの近傍に配される室内機１は、壁面に取り付けられるキャビネット２により本体部が保持されており、キャビネット２には上面側と前面側とに吸込口４ａ、４ｃが設けられたフロントパネル３が着脱自在に取り付けられている。
【０００５】
フロントパネル３の下端部とキャビネット２の下端部との間隙には、室内機１の幅方向に延びる略矩形の吹出口５が形成されている。室内機１の内部には、吸込口４ａ、４ｃから吹出口５に連通する送風経路６が形成されている。送風経路６内には送風ファン７が配され、送風ファン７の駆動により送風経路６を流通する空気が吹出口５から送出される。
【０００６】
送風経路６は、吹出口５の近傍で前方へ行くほど上方に傾斜した上壁６ａと、前方へ行くほど下方に傾斜した下壁６ｂを有している。従って、下流の吹出口５に近づくほど徐々に拡大するように形成されている。これにより、送風経路６を流通する空気の運動エネルギを静圧に変換し、送風ファン７の負荷を軽減して風量を増加させることができるようになっている。
【０００７】
フロントパネル３に対向する位置には、吸込口４ａ、４ｃから吸い込まれた空気に含まれる塵埃を捕集・除去するエアフィルタ８が設けられている。送風経路６中の送風ファン７とエアフィルタ８との間には、室内熱交換器９が配置されている。
【０００８】
室内熱交換器９は屋外に配される圧縮機（不図示）に接続されており、圧縮機の駆動により冷凍サイクルが運転される。冷凍サイクルの運転によって冷房時には室内熱交換器９が周囲温度よりも低温に冷却される。また、暖房時には、室内熱交換器９が周囲温度よりも高温に加熱される。室内熱交換機９の前後の下部には冷房または除湿時に室内熱交換器９から落下した結露を補集するドレンパン１０が設けられている。
【０００９】
吹出口５には、外部に臨んで垂直方向の吹出角度を変更可能な横ルーバ１１ａ、１１ｂが設けられている。横ルーバ１１ａは吹出口５の上部を開閉して、空気の送出方向を下方向乃至上方向に変更可能になっている。横ルーバ１１ｂは吹出口５の下部を開閉して、空気の送出方向を下方向乃至上方向に変更可能になっている。また、横ルーバ１１ａ、１１ｂの奥側には左右方向の吹出角度を変更可能な縦ルーバ１２が設けられている。
【００１０】
上記構成の空気調和機において、空気調和機の運転を開始すると、送風ファン７が回転駆動され、室外機（不図示）からの冷媒が室内熱交換器９へ流れて冷凍サイクルが運転される。これにより、室内機１内には吸込口４ａ、４ｃから空気が吸い込まれ、エアフィルタ８によって空気中に含まれる塵埃が除去される。
【００１１】
室内機１内に取り込まれた空気は室内熱交換器９と熱交換し、冷却または加熱される。そして、調和空気は送風経路６を通って縦ルーバ１２により左右方向の向きが規制され、下向きに配置された横ルーバ１１ａ、１１ｂにより吹出口５から矢印Ａ１に示すように下方向に送出される。これにより、室内の空気調和が行われる。
【００１２】
また、室内の温度が安定した安定状態では図１０に示すように、横ルーバ１１ａ、１１ｂが上方に向けて配置され、矢印Ａ２に示すように調和空気が上方に送出される。これにより、使用者に常に冷たい風や暖かい風が当たらず、不快感を低減するとともに、局所的な体温の低下を防止することができるようになっている。
【００１３】
一方、特開２００２−８９８６８号公報等に示されるように、室内機１内にイオンを発生するイオン発生装置を備えた空気調和機も知られている。この空気調和機は、吹出口５から調和空気とともにイオンを送出することによって、殺菌等による空気清浄効果やリラクゼーション効果を得ることができるようになっている。
【００１４】
【発明が解決しようとする課題】
上記の図９、図１０に示す従来の空気調和機によると、吹出口５から送出される空気は横ルーバ１１ａ、１１ｂに沿って下方または上方に導かれる。このため、図９に示すように、下方に空気を送出する際に調和された空気は送風経路６の上壁６ａに沿って流通せず、室温の空気が矢印Ａ１の方向に送出される空気に吸引されて矢印Ｂ２に示すように送風経路６内に流入する。
【００１５】
この時、流入した空気は送風経路６の上壁６ａに接触した状態で滞留し、冷房運転時や除湿運転時に調和空気によって露点温度まで冷却される。従って、送風経路６の上壁６ａに結露９９が発生する問題があった。
【００１６】
同様に、図１０に示すように上方に空気を送出する際に矢印Ａ２の方向に送出される空気に吸引されて室温の空気が矢印Ｂ１に示すように下方から送風経路６内に流入する。このため、流入した空気は送風経路６の下壁６ｂに接触した状態で滞留し、送風経路６の下壁６ｂに結露９９が発生する問題があった。横ルーバ１１ｂの両面には温度の異なる空気が接触するため横ルーバ１１ｂの表面に結露９９が発生する問題もある。
【００１７】
また、送風経路６は吹出口５に向かって広がっているため、調和空気は吹出口５まで放射状に広がって流通する。このため、図９に示すように下方に空気を送出する際に、吹出口５の上部の空気は上方の横ルーバ１１ａに衝突して圧力損失が増加する。
【００１８】
同様に、図１０に示すように上方に空気を送出する際に、吹出口５の下部の空気は下方の横ルーバ１１ｂに衝突して圧力損失が増加する。また、送風経路６を流通する空気が上壁６ａまたは下壁６ｂから剥離して流通面積が減少するため、運動エネルギーを静圧に変換する変換効率が低下する。従って、送風ファン７によって送出される風量が減少する問題もあった。
【００１９】
更に、調和空気とともにイオンを送出する空気調和機においては、イオンが横ルーバ１１ａまたは横ルーバ１１ｂに衝突して電荷を奪われ、消滅または不活化する。このため、室内に放出されるイオンの量が減少する問題があった。
【００２０】
本発明は、結露を防止するとともに風量の減少を防止することのできる空気調和機を提供することを目的とする。また本発明は、放出されるイオンの量の減少を防止することのできる空気調和機を提供することを目的とする。
【００２１】
【課題を解決するための手段】
上記目的を達成するために本発明は、吸込口から取り入れた空気を調和し、空気流通経路を流通する空気を風向変更手段によって下方或いは上方に風向を可変して吹出口から送出する空気調和機において、前記風向変更手段は前記吹出口から送出された空気の風向をコアンダ効果によって可変することを特徴としている。
【００２２】
この構成によると、吸込口から取り入れられた空気は調和され、空気流通経路を通って吹出口から例えば下方に送出される。一部の空気は、風向変更手段によって上方に送出され、送出後の空気がコアンダ効果によって主流の空気の方向に風向が可変される。空気流通経路は例えば上壁が前方へ行くほど上方になるように傾斜して成っており、下流へ行くほど拡大して形成される。
【００２３】
風向変更手段によって調和空気を上方へ送出する際には、空気流通経路の下壁に沿って吹出口の下部から送出される空気の風向は上方に送出される主流の空気にコアンダ効果によって吸引され、上方へ導かれる。また、風向変更手段によって調和空気を下方へ送出する際には、空気流通経路の上壁に沿って吹出口の上部から送出される空気は、下方に送出される主流の空気にコアンダ効果によって吸引され、下方へ導かれる。
【００２４】
風向変更手段は吹出口に取り付けられるとともに向きを可変する複数の風向板により容易に実現できる。吹出口から上方に空気を送出する際には最上の前記風向板が空気流通経路の上部を流通する空気に沿った標準位置に配置される。これにより、空気流通経路の上部を流通する空気は風向板の延長方向に導かれる。吹出口から下方に空気を送出する際には、最上の風向板が標準位置よりも下流へ行くほど空気流通経路の上壁に接近して配置される。これにより、一部の空気が空気流通経路の上壁に沿って流通する。その後、該空気は下方に送出される主流の空気に沿って室内に導かれる。
【００２５】
また、吹出口から下方に空気を送出する際には最下の風向板が空気流通経路の下部を流通する空気に沿った標準位置に配置される。これにより、空気流通経路の下部を流通する空気は風向板の延長方向に導かれる。吹出口から上方に空気を送出する際には、最下の風向板が標準位置よりも下流へ行くほど空気流通経路の下壁に接近して配置される。これにより、一部の空気が空気流通経路の下壁に沿って流通する。その後、該空気は上方に送出される主流の空気に沿って室内に導かれる。
【００２６】
風向板は３枚以上設けると最上または最下の風向板を除く風向板によって主流の吹出方向を容易に制御できるので望ましく、風向板を３枚にすると各風向板の向きの制御が簡単になるためより望ましい。また、イオンを発生するイオン発生装置を設けると調和空気とともにイオンが室内に送出される。この時、風向板が空気流通経路を流通する空気に略沿って配置され、イオンとの衝突が低減される。
【００２７】
【発明の実施の形態】
以下に本発明の実施形態を図面を参照して説明する。説明の便宜上、従来例の図９、図１０と同一の部分については同一の符号を付している。図１は第１実施形態の空気調和機を示す概略斜視図である。
【００２８】
室内の天井Ｒの近傍に配される空気調和機の室内機１は、室内の壁面に取り付けられるキャビネット２により本体部が保持されており、キャビネット２には上面側と前面側とに吸込口４ａ、４ｃが設けられたフロントパネル３が着脱自在に取り付けられている。
【００２９】
フロントパネル３の下端部とキャビネット２の下端部との間隙には、室内機１の幅方向に延びる略矩形の吹出口５が形成されている。室内機１の内部には、吸込口４ａ、４ｃから吹出口５に連通する送風経路６が形成されている。送風経路６内には送風ファン７が配され、送風ファン７の駆動により送風経路６を流通する空気が吹出口５から送出される。
【００３０】
送風経路６は、吹出口５の近傍で前方へ行くほど上方に傾斜した上壁６ａと、前方へ行くほど下方に傾斜した下壁６ｂを有している。従って、下流の吹出口５に近づくほど徐々に拡大するように形成されている。これにより、送風経路６を流通する空気の運動エネルギを静圧に変換し、送風ファン７の負荷を軽減して風量を増加することができるようになっている。
【００３１】
フロントパネル３に対向する位置には、吸込口４ａ、４ｃから吸い込まれた空気に含まれる塵埃を捕集・除去するエアフィルタ８が設けられている。送風経路６中の送風ファン７とエアフィルタ８との間には、室内熱交換器９が配置されている。
【００３２】
室内熱交換機９の前後の下部には冷房または除湿時に室内熱交換器９から落下した結露を補集するドレンパン１０が設けられている。また、前方のドレンパン１０に隣接してイオンを発生するイオン発生装置３０が放電面３０ａを送風経路６に面して配置されている。
【００３３】
吹出口５には、外部に臨んで垂直方向の吹出角度を変更可能な横ルーバ１１ａ、１１ｂが設けられている。横ルーバ１１ａは吹出口５の上部を開閉して、空気の送出方向を下方向乃至上方向に変更可能になっている。横ルーバ１１ｂは吹出口５の下部を開閉して、空気の送出方向を下方向乃至上方向に変更可能になっている。また、横ルーバ１１ａ、１１ｂの奥側には左右方向の吹出角度を変更可能な縦ルーバ１２が設けられている。
【００３４】
図４は、空気調和機の冷凍サイクルを示す回路図である。空気調和機の室内機１に接続される室外機（不図示）には、圧縮機６２、四方切替弁６３、室外熱交換器６４、送風ファン６５及び絞り機構６６が設けられる。圧縮機６２の一端は冷媒配管６７により四方切替弁６３を介して室外熱交換器６４に接続されている。圧縮機６２の他端は冷媒配管６７により四方切替弁６３を介して室内熱交換器９に接続されている。室外熱交換器６４と室内熱交換器９とは冷媒配管６７により絞り機構６６を介して接続されている。
【００３５】
冷房運転を開始すると圧縮機６２が駆動されるとともに送風ファン７が回転する。これにより、冷媒が圧縮機６２、四方切替弁６３、室外熱交換器６４、絞り機構６６、室内熱交換器９及び四方切替弁６３を経て圧縮機６２に戻る冷凍サイクル６８が形成される。
【００３６】
冷凍サイクル６８の運転によって、冷房時には室内熱交換器９が周囲温度よりも低温に冷却される。また、暖房運転時には四方切替弁６３が切り替えられて送風ファン６５が回転し、上記と逆方向に冷媒が流通する。これにより、室内熱交換器９が周囲温度よりも高温に加熱される。
【００３７】
図５は室内機１と通信可能なリモートコントローラー３１を示している。リモートコントローラ３１には、室内温度や運転状態を表示する表示部３５と各種操作ボタンを有する操作部３６が設けられる。操作部３６の運転停止ボタン３７によって空気調和機のオンオフが行われる。また操作部３６には、冷房運転、暖房運転及び除湿運転を切り換える切換ボタン３８や、横ルーバ１１ａ、１１ｂの向きを可変する上下風向ボタン３２が設けられる。
【００３８】
上下風向ボタン３２は横ルーバ１１ａ、１１ｂの向きを可変して使用者が所望する風向に設定できるようになっている。この場合、上下風向ボタン３２を押す毎に前方下方吹出しと前方上方吹出しを交互に選択できるようにすると、リモートコントローラー３１の操作を分かりやすくできるため望ましい。
【００３９】
上下風向ボタン３２は、他の名称でもよく、ボタン上またはボタンの近傍に効果を的確に表現する文言が記されていれば機能が一目瞭然となり利便性が向上する。尚、図６に示すように、下部のカバー３１ａをスライドさせると操作部３６ａが露出して手動操作による運転の細かな設定を行えるようになっている。
【００４０】
図２は上記構成の空気調和機の下方吹出時の動作を示している。空気調和機の運転を開始すると、送風ファン７が回転駆動され、室外機（不図示）からの冷媒が室内熱交換器９へ流れて冷凍サイクルが運転される。これにより、室内機１内には吸込口４ａ、４ｃから空気が吸い込まれ、エアフィルタ８によって空気中に含まれる塵埃が除去される。また、イオン発生装置３０が駆動され、放電面３０ａから送風経路６内にイオンが放出される。
【００４１】
室内機１内に取り込まれた空気は室内熱交換器９と熱交換し、冷却または加熱される。そして、調和空気は送風経路６を通って縦ルーバ１２により左右方向の向きが規制される。下方の横ルーバ１１ｂは、送風経路６の下部を流通する空気と略平行な標準位置に配置される。これにより、送風経路６の下部を流通する空気は横ルーバ１１ｂの延長方向に導かれる。
【００４２】
上方の横ルーバ１１ａは、送風経路６の上部を流通する空気の空気流に対して、下流へ行くほど送風経路６の上壁６ａに接近する方向に傾斜して配置されている。送風経路６の略中央部を通る空気は、空気量が多く空気流と横ルーバ１１ａとの角度が大きいため横ルーバ１１ａに沿わず、吹出口５に到達した際の空気流の方向に送出される。これにより、送風経路６を流通する空気の大部分の主流は矢印Ａ１に示すように略中央部から下部を流通する空気流の方向に送出される。
【００４３】
また、送風経路６の上部を通る空気は、横ルーバ１１ａに導かれ、送風経路６の上壁６ａに沿って送出される。この時、吹出口５から主流の空気が矢印Ａ１の方向に送出されるため、上壁６ａと横ルーバ１１ａとの間を流通する空気は空気量が少ない。このため、送出された空気はコアンダ効果によって主流（Ａ１）に吸引され、矢印Ａ４に示すように主流の方向に導かれる。これにより、イオンとともに下方に調和空気が送出され、室内の空気調和を行うとともに空気清浄効果やリラクゼーション効果を得ることができる。
【００４４】
また、室内の温度が安定した安定状態では図３に示すように上方の横ルーバ１１ａは、送風経路６の上部を流通する空気と略平行な標準位置に配置される。これにより、送風経路６の上部を流通する空気は横ルーバ１１ａの延長方向に導かれる。
【００４５】
下方の横ルーバ１１ｂは、送風経路６の下部を流通する空気の空気流に対して、下流へ行くほど送風経路６の下壁６ｂに接近する方向に傾斜して配置されている。送風経路６の略中央部を通る空気は、空気量が多く空気流と横ルーバ１１ｂとの角度が大きいため横ルーバ１１ｂに沿わず、吹出口５に到達した際の空気流の方向に送出される。これにより、送風経路６を流通する空気の大部分の主流は矢印Ａ２に示すように略中央部から上部を流通する空気流の方向に送出される。
【００４６】
また、送風経路６の下部を通る空気は、横ルーバ１１ｂに導かれ、送風経路６の下壁６ａに沿って送出される。この時、吹出口５から主流の空気が矢印Ａ２の方向に送出されるため、下壁６ｂと横ルーバ１１ｂとの間を流通する空気は空気量が少ない。このため、送出された空気はコアンダ効果によって主流（Ａ２）に吸引され、矢印Ａ５に示すように主流の方向に導かれる。これにより、使用者に常に冷たい風や暖かい風が当たらず、不快感を低減するとともに、局所的な体温の低下を防止することができるようになっている。
【００４７】
本実施形態によると、下方に調和空気を送出する際には、上方の横ルーバ１１ａが送風経路６の上部を流通する空気流に対して、下流へ行くほど送風経路６の上壁６ａに接近する方向に傾斜している。このため、送風経路６の上部の空気が上壁６ａに接触して流通し、室温の空気は矢印Ｂ２（図２参照）に示すように吹出口５から上壁６ａに沿って流入しない。従って、上壁６ａの結露を防止することができる。
【００４８】
同様に、上方に調和空気を送出する際には、下方の横ルーバ１１ｂが送風経路６の下部を流通する空気流に対して、下流へ行くほど送風経路６の下壁６ｂに接近する方向に傾斜している。このため、送風経路６の下部の空気が下壁６ｂに接触して流通し、室温の空気は矢印Ｂ１（図３参照）に示すように吹出口５から下壁６ｂに沿って流入しない。従って、下壁６ｂの結露を防止することができる。
【００４９】
また、図２において送風経路６の上部の空気は送風経路６の上壁６ａに沿って上方に向かって流通しようとするため、上方の横ルーバ１１ａによって遮られる空気は少量である。同様に、図３において送風経路６の下部の空気は送風経路６を下方に向かって流通しようとするため、下方の横ルーバ１１ｂによって遮られる空気は少量である。
【００５０】
このため、空気流と横ルーバ１１ａ、１１ｂとの衝突を低減することができる。加えて、吹出口５から送出される空気の流通面積の減少を防止して運動エネルギーを静圧に効率良く変換することができる。従って、空気調和機の風量の減少を防止することができるとともに、イオンの消失を防止して殺菌やリラクゼーション効果を向上させることができる。
【００５１】
次に、図５は第２実施形態の空気調和機の室内機を示す側面断面図である。説明の便宜上、前述の図１〜図４に示す第１実施形態と同一の部分には同一の符号を付している。本実施形態は吹出口５に上下に並設される３枚の横ルーバ１１ａ、１１ｃ、１１ｂが設けられている。その他の部分は第１実施形態と同様である。
【００５２】
空気調和機の運転を開始すると、送風ファン７が回転駆動され、室外機（不図示）からの冷媒が室内熱交換器９へ流れて冷凍サイクルが運転される。これにより、室内機１内には吸込口４ａ、４ｃから空気が吸い込まれ、エアフィルタ８によって空気中に含まれる塵埃が除去される。また、イオン発生装置３０が駆動され、放電面３０ａから送風経路６内にイオンが放出される。
【００５３】
室内機１内に取り込まれた空気は室内熱交換器９と熱交換し、冷却または加熱される。そして、調和空気は送風経路６を通って縦ルーバ１２により左右方向の向きが規制される。中央及び下方の横ルーバ１１ｃ、１１ｂは、送風経路６の中央部及び下部を流通する空気と略平行な標準位置に配置される。これにより、送風経路６の中央部及び下部を流通する空気は横ルーバ１１ｃ、１１ｂの延長方向に導かれる。
【００５４】
上方の横ルーバ１１ａは、送風経路６の上部を流通する空気の空気流に対して、下流へ行くほど送風経路６の上壁６ａに接近する方向に傾斜して配置されている。このため、横ルーバ１１ｃと横ルーバ１１ａの間を通る空気は、空気量が多く空気流と横ルーバ１１ａとの角度が大きいため横ルーバ１１ａに沿わず、吹出口５に到達した際の空気流の方向に送出される。これにより、送風経路６を流通する空気の大部分の主流は矢印Ａ１に示すように略中央部から下部を流通する空気流の方向に送出される。
【００５５】
また、送風経路６の上部を通る空気は、横ルーバ１１ａに導かれ、送風経路６の上壁６ａに沿って送出される。この時、吹出口５から主流の空気が矢印Ａ１の方向に送出されるため、上壁６ａと横ルーバ１１ａとの間を流通する空気は空気量が少ない。このため、送出された空気はコアンダ効果によって主流（Ａ１）に吸引され、矢印Ａ４に示すように主流の方向に導かれる。これにより、イオンとともに下方に調和空気が送出され、室内の空気調和を行うとともに空気清浄効果やリラクゼーション効果を得ることができる。
【００５６】
また、室内の温度が安定した安定状態では図８に示すように上方及び中央の横ルーバ１１ａ、１１ｃは、送風経路６の上部を流通する空気と略平行な標準位置に配置される。これにより、送風経路６の上部及び中央部を流通する空気は横ルーバ１１ａ、１１ｃの延長方向に導かれる。
【００５７】
下方の横ルーバ１１ｂは、送風経路６の下部を流通する空気の空気流に対して、下流へ行くほど送風経路６の下壁６ｂに接近する方向に傾斜して配置されている。このため、横ルーバ１１ｃと横ルーバ１１ｂの間を通る空気は、空気量が多く空気流と横ルーバ１１ｂとの角度が大きいため横ルーバ１１ｂに沿わず、吹出口５に到達した際の空気流の方向に送出される。これにより、送風経路６を流通する空気の大部分の主流は矢印Ａ２に示すように略中央部から上部を流通する空気流の方向に送出される。
【００５８】
また、送風経路６の下部を通る空気は、横ルーバ１１ｂに導かれ、送風経路６の下壁６ａに沿って送出される。この時、吹出口５から主流の空気が矢印Ａ２の方向に送出されるため、下壁６ｂと横ルーバ１１ｂとの間を流通する空気は空気量が少ない。このため、送出された空気はコアンダ効果によって主流（Ａ２）に吸引され、矢印Ａ５に示すように主流の方向に導かれる。
【００５９】
本実施形態によると、第１実施形態と同様の効果を得ることができる。また、最上の横ルーバ１１ａまたは最下の横ルーバ１１ｂを除いた残りの２枚の横ルーバによって吹出口５から送出される空気の風向を制御することができる。このため、第１実施形態では横ルーバの向きを僅かに変えると風向が大きく可変して主流の空気の風向の制御が困難であるが、本実施形態では容易に主流の方向を制御することができる。尚、横ルーバを４枚以上設けても第１実施形態よりも容易に風向を制御可能になるが、４枚以上の横ルーバの向きの制御が複雑になるため３枚の横ルーバを設けるのが最も望ましい。
【００６０】
【発明の効果】
本発明によると、風向変更手段が吹出口から送出された空気の風向をコアンダ効果によって可変するので、吹出口近傍の空気流通経路の壁面に調和空気を接触させて送出することができる。従って、空気流通経路の壁面の結露を防止することができる。
【００６１】
また、空気流と風向可変手段との衝突を低減することができるとともに、吹出口から送出される空気の流通面積の減少を防止して運動エネルギーを静圧に効率良く変換することができる。従って、空気調和機の風量の減少を防止することができるとともに、イオン発生装置を設けている場合には、イオンの消失を防止して殺菌やリラクゼーション効果を向上させることができる。
【００６２】
また本発明によると、風向変更手段を複数の風向板により容易に形成することができる。また、風向板を３枚以上にすると最上または最下の風向板を除いた残りの横ルーバによって吹出口から送出される空気の風向を容易に制御してコアンダ効果による風向を可変することができる。更に、風向板を３枚にすると向きの制御を容易に行うことができる。
【図面の簡単な説明】
【図１】は、本発明の第１実施形態の空気調和機の室内機を示す側面断面図である。
【図２】は、本発明の第１実施形態の空気調和機の室内機の下方吹出しの状態を示す側面断面図である。
【図３】は、本発明の第１実施形態の空気調和機の室内機の上方吹出しの状態を示す側面断面図である。
【図４】は、本発明の第１実施形態の空気調和機の冷凍サイクルを示す回路図である。
【図５】は、本発明の第１実施形態の空気調和機のリモートコントローラ示す平面図である。
【図６】は、本発明の第１実施形態の空気調和機のリモートコントローラ示す平面図である。
【図７】は、本発明の第２実施形態の空気調和機の室内機の下方吹出しの状態を示す側面断面図である。
【図８】は、本発明の第２実施形態の空気調和機の室内機の上方吹出しの状態を示す側面断面図である。
【図９】は、従来の空気調和機の室内機の下方吹出しの状態を示す側面断面図である。
【図１０】は、従来の空気調和機の室内機の上方吹出しの状態を示す側面断面図である。
【符号の説明】
１　　室内機
２　　キャビネット
３　　フロントパネル
４ａ、４ｃ　吸込口
５　　吹出口
６　　送風経路
６ａ　拡大部上壁
６ｂ　拡大部下壁
７　　送風ファン
８　　エアフィルタ
９　　室内熱交換器
１０　　ドレンパン
１１ａ、１１ｂ、１１ｃ　横ルーバ（風向板）
１２　　縦ルーバ
２５　　渦
３１　　リモートコントローラー
３２　　上下風向ボタン
６０　　制御部
６１　　温度センサ
６２　　圧縮機
６５　　送風機
９９　　結露
【図１】
2004116859.tif 000003
【図２】
2004116859.tif 000004
【図３】
2004116859.tif 000005
【図４】
2004116859.tif 000006
【図５】
2004116859.tif 000007
【図６】
2004116859.tif 000008
【図７】
2004116859.tif 000009
【図８】
2004116859.tif 000010
【図９】
2004116859.tif 000011
【図１０】
2004116859.tif 000012